(57)【要約】【課題】奥行きの短い水栓カウンタにも容易に水栓金具を取り付けることが可能な水栓金具の取付構造及び取付方法を提供する。【解決手段】配管類を掩蔽する水栓カウンタの前面に露出して取設される水栓金具と、一端が上記水栓カウンタ背面に位置する壁面に固定され、他端が上記水栓金具裏面に当接して、上記水栓金具を所定の位置に支持する水栓支持材と、該水栓支持材の、上記水栓金具裏面に当接する部分の下端近傍に穿設されたボルト孔に螺合して、上記水栓金具裏面を押圧することにより上記水栓金具を上記水栓支持材に固着する固定ボルトとを備える。【選択図】  図２
2006097265.tif 000002
【特許請求の範囲】
【請求項１】
配管類を掩蔽する水栓カウンタの前面に露出して取設される水栓金具と、
一端が上記水栓カウンタ背面に位置する壁面に固定され、他端が上記水栓金具裏面に当接して、上記水栓金具を所定の位置に支持する水栓支持材と、
該水栓支持材の、上記水栓金具裏面に当接する部分の下端近傍に穿設されたボルト孔に螺合して、上記水栓金具裏面を押圧することにより上記水栓金具を上記水栓支持材に固着する固定ボルトと、
を備えることを特徴とする水栓金具の取付構造。
【請求項２】
前記水栓支持材は、前記水栓金具の裏面に当接する部分において、前記水栓金具の裏面から延出する配管接続口を挿通可能とする開口を備え、上記水栓金具の裏面と上記配管接続口に螺合するエルボとに挟持されて上記水栓金具を仮固定することを特徴とする請求項１記載の水栓金具の取付構造。
【請求項３】
配管類を掩蔽する水栓カウンタの前面に露出して取設される水栓金具の裏面から延出する配管接続口に、該配管接続口外周に螺刻された雄ねじの終端までエルボを螺進させて止水を完全にするステップと、
一端が上記水栓カウンタ背面に位置する壁面に固定され、他端が上記水栓金具裏面に当接して、上記水栓金具を所定の位置に支持する水栓支持材の、上記水栓金具裏面に当接する部分の下端近傍に穿設されたボルト孔に、固定ボルトを螺嵌させ、該固定ボルトの螺進により上記水栓金具裏面を押圧することにより上記水栓金具を上記水栓支持材に固着する固着するステップと、
を備えることを特徴とする水栓金具の取付方法。
【請求項４】
一端が配管類を掩蔽する水栓カウンタ背面に位置する壁面に固定された水栓支持材の他端に設けられた開口に、上記水栓カウンタの前面に露出して取設される水栓金具の裏面から延出する配管接続口を挿通するステップと、
該配管接続口外周に螺刻された雄ねじの終端までエルボを螺進させて止水を完全にするとともに、上記支持材を水栓金具の裏面及び上記エルボで挟持することにより上記水栓金具を仮固定するステップと、
上記水栓支持材の上記水栓金具裏面に当接する部分の下端近傍に穿設されたボルト孔に固定ボルトを螺嵌させ、該固定ボルトの螺進により上記水栓金具裏面を押圧することにより上記水栓金具を上記水栓支持材に固着するステップと、
を備えることを特徴とする水栓金具の取付方法。
【発明の詳細な説明】
【技術分野】
【０００１】
本発明は、一般住戸で採用される浴室に設けられる水栓カウンタに取り付けられる水栓金具に係り、特にカウンタ前面のエプロン部に取設される水栓金具の取付構造に関する。また、本発明は、このような水栓金具の取付方法に関する。
【背景技術】
【０００２】
浴室の洗い場側に設けられ、カラン及びシャワーに所望の水量水温の水を給水給湯する浴室用の水栓は、洗い場の一壁面から突設するカウンタの前面エプロン部に、洗い場側に突出するように取り付けられるのが現在一般的である。これは、カウンタトップから上方に突出するように取り付けると、カウンタトップ上のシャンプー等の小物を置くスペースが狭くなるので、これを回避するためである。
【０００３】
この水栓は、通常図１１に示すように、前面エプロン部１２０に設けられた水栓１１０取付用の開口１３０に水栓１１０の後端を挿入し、パッキン１３２を介して締付リング１３４を締め込むことにより、カウンタの前面エプロン部１２０へ取り付けられる。そして、水栓１１０の後部にはＬ字形の配管ジョイント１４０がユニオンナット１４２によって取り付けられ、このジョイント１４０は混合水供給用のフレキホース（図示せず）と接続される（例えば、特許文献１参照。）。
【０００４】
すなわち、水栓１１０後端には、締付リング１３４が螺挿される雄ねじ部１１０ａ、及びユニオンナット１４２が螺着される雄ねじ部１１０ｂの、径の異なる２種類の雄ねじ部が設けられるのが一般的である。
【特許文献１】特開２０００−２０１８５２号公報（図８）
【発明の開示】
【発明が解決しようとする課題】
【０００５】
しかしながら、この構造では、水栓１１０の後端に、長さＤ１の雄ねじ部１１０ａと長さＤ２の雄ねじ部１１０ｂの合計Ｄ１＋Ｄ２の長さの接続部が必要となり、結果的にカウンタの奥行きも大きくなってしまうという問題点がある。また、締付リング１３４等の部品が必要となるためコストも高くなってしまう。
【０００６】
本発明は、上述した事情を考慮してなされたもので、奥行きの短い水栓カウンタにも容易に水栓金具を取り付けることが可能な水栓金具の取付構造及び取付方法を提供することを目的とするものである。
【課題を解決するための手段】
【０００７】
本発明に係る水栓金具の取付構造は、上述した課題を解決するために、請求項１に記載したように、配管類を掩蔽する水栓カウンタの前面に露出して取設される水栓金具と、一端が上記水栓カウンタ背面に位置する壁面に固定され、他端が上記水栓金具裏面に当接して、上記水栓金具を所定の位置に支持する水栓支持材と、該水栓支持材の、上記水栓金具裏面に当接する部分の下端近傍に穿設されたボルト孔に螺合して、上記水栓金具裏面を押圧することにより上記水栓金具を上記水栓支持材に固着する固定ボルトとを備えるものである。
【０００８】
前記水栓支持材は、より好適には、請求項２に記載したように、前記水栓金具の裏面に当接する部分において、前記水栓金具の裏面から延出する配管接続口を挿通可能とする開口を備え、上記水栓金具の裏面と上記配管接続口に螺合するエルボとに挟持されて上記水栓金具を仮固定することが望ましい。
【０００９】
他方、上述した課題を解決するために、請求項３に係る水栓金具の取付方法は、配管類を掩蔽する水栓カウンタの前面に露出して取設される水栓金具の裏面から延出する配管接続口に、該配管接続口外周に螺刻された雄ねじの終端までエルボを螺進させて止水を完全にするステップと、一端が上記水栓カウンタ背面に位置する壁面に固定され、他端が上記水栓金具裏面に当接して、上記水栓金具を所定の位置に支持する水栓支持材の、上記水栓金具裏面に当接する部分の下端近傍に穿設されたボルト孔に、固定ボルトを螺嵌させ、該固定ボルトの螺進により上記水栓金具裏面を押圧することにより上記水栓金具を上記水栓支持材に固着する固着するステップとを備えるものである。
【００１０】
また、上述した課題を解決するために、請求項４に係る水栓金具の取付方法は、一端が配管類を掩蔽する水栓カウンタ背面に位置する壁面に固定された水栓支持材の他端に設けられた開口に、上記水栓カウンタの前面に露出して取設される水栓金具の裏面から延出する配管接続口を挿通するステップと、該配管接続口外周に螺刻された雄ねじの終端までエルボを螺進させて止水を完全にするとともに、上記支持材を水栓金具の裏面及び上記エルボで挟持することにより上記水栓金具を仮固定するステップと、上記水栓支持材の上記水栓金具裏面に当接する部分の下端近傍に穿設されたボルト孔に固定ボルトを螺嵌させ、該固定ボルトの螺進により上記水栓金具裏面を押圧することにより上記水栓金具を上記水栓支持材に固着するステップとを備えるものである。
【発明の効果】
【００１１】
本発明に係る水栓金具の取付構造及び取付方法によれば、奥行きの短い水栓カウンタにも容易に水栓金具を取り付けることが可能となる。
【発明を実施するための最良の形態】
【００１２】
本発明に係る水栓金具の取付構造及び取付方法の実施形態について、添付図面を参照して説明する。図１は、本発明に係る水栓金具取付構造を備えるシステムバス１の概略を示すものである。
【００１３】
システムバス１は、壁パネル６よりなる壁面により外部と区画され、洗い場２側の浴槽３に隣接する一の壁面には、洗い場水栓７周りの配管類を掩蔽する水栓カウンタとしてのアッパーカウンタ９が突設される。このアッパーカウンタ９は、その高さが、浴槽３天端と略同一に設定され、一端が浴槽３及びバスエプロン４に当接し、図示しない他端は、アッパーカウンタ９が取設された壁面と直交する壁面に当接している。アッパーカウンタ９の前面には、洗い場水栓７が取設される。吐水手段としてはこの他に、バス水栓５及びシャワー８を備える。シャワー８は、アッパーカウンタ９の底部から延出するシャワーホース８２と、その先端に接続されたシャワーヘッド８３を有する。このアッパーカウンタ９のカウンタトップは、シャンプーのボトル等の置き場として利用される。なお、本実施形態におけるアッパーカウンタ９は、本発明の水栓カウンタを構成する。
【００１４】
そして、アッパーカウンタ９の下方には、洗面器置き場とし使用されるロアーカウンタ１０が取設される。
【００１５】
図２は、アッパーカウンタ９及びロアーカウンタ１０を取り付ける前の、これらの支持材等を正面から見た図である。ここには、水栓本体７０と、水栓本体を支持する水栓支持材１１、アッパーカウンタ９を支持するアッパーカウンタ支持材２０、ロアーカウンタを支持するロアーカウンタ支持材３０、及びシャワー８を支持するシャワー支持材４０とが取り付けられている。また、屋内給水管５０及び屋内給湯管５１の端末が壁パネル６を貫通して引き出されている。
【００１６】
ロアーカウンタ１０は棚状の平板であり、ロアーカウンタ支持材３０は、ブラケット状に形成されてこの棚を支持する。
【００１７】
屋内給水管５０及び屋内給湯管５１は、それぞれ給水止水栓５２及び給湯止水栓５３が取り付けられた後、図示しないフレキシブル管を介して水栓本体７０に接続される。そして、一旦水栓本体７０内に取り込まれた水は、図示しないフレキシブル管を介してさらにシャワー支持材４０に取り付けられたシャワーエルボ８１に送出される。
【００１８】
本実施形態の水栓本体７０は、水平に横設された略円筒状の本体７０ａと、本体７０ａとアッパーカウンタ９とを接続する接続部７０ｂとからなり、本体７０ａの中央下面からカラン７１が突出し、カラン７１の先端は水量調節ハンドル７２になっている。本体７０ａの一端には温度調節ハンドル７３が設けられ、他端には、送水先をカランまたはシャワーに切り替えるカランボタン７４、シャワーボタン７５が設けられる。
【００１９】
図３は、この水栓本体７０を壁面に取り付けた状態を示す平面図である。水栓本体７０は、同図に示すように、アッパーカウンタ９にではなく、水栓支持材１１を介して壁面を構成する壁パネル６に取り付けられる。水栓支持材１１に当接する水栓本体７０裏面からは、給湯接続口７６、給水接続口７７及びシャワー接続口７８が延出し、それぞれに給水エルボ６１、給湯エルボ６２及び水栓側シャワーエルボ６３を介してフレキシブル管（図示せず）が接続され、給水接続口７６は屋内給水管５０の給水止水栓５２、給湯接続口７７は屋内給湯管５１の給湯止水栓５３へと接続される。また、シャワー接続口７８は、水栓側シャワーエルボ６３を介してフレキシブル管（図示せず）が接続され、シャワー支持材４０に取り付けられたシャワーエルボ８１に接続される。そして、シャワーエルボ８１からシャワーホース８２を経由してシャワーヘッド８３が接続される。
【００２０】
このように、本発明に係る水栓金具の取付構造は、従来の水栓金具取付構造にある締付リングやこの締付リングに螺合する雄ねじ部がなく、給水接続口７６等から直ちに給水エルボ６１等を接続することができるので、アッパーカウンタ９の奥行きを、屋内給水管５０等に取り付けられる給水止水栓５２等の長さいっぱいまで小さくすることが可能となる。
【００２１】
図４は、水栓本体７０を壁面に取り付けた状態を示す縦断面図、言い換えれば、アッパーカウンタ９を取り付けた後に、図２のＡ−Ａ方向から見た図である。同図に示すように、アッパーカウンタ９は、上面に位置するカウンタトップ９１と、前面及び底面を掩蔽するカウンタエプロン９２とから構成される。これらはアッパーカウンタ支持材２０により壁パネル６に取り付けられる。カウンタトップ９１の前面、すなわち、カウンタエプロン９２の上部の一部には、図５に示すように、切欠きが設けられ、この位置に水栓支持材１１の後述する水栓本体当接部１１ｃが嵌合する。
【００２２】
水栓支持材１１は、同図に示すように、金属製の板材を折曲して形成され、壁パネル当接部１１ａ、突出部１１ｂ、水栓本体当接部１１ｃ、及びアッパーカウンタ当接部１１ｄから構成される。壁パネル当接部１１ａには、アッパーカウンタ９の背面に位置する壁パネル６に当接してねじ止めできるよう、ねじ孔１１ｅ及び上下方向に長いばか孔１１ｆ，１１ｆが穿設される。
【００２３】
この壁パネル当接部１１ａから９０度折曲された突出部１１ｂは、カウンタエプロン９２側へ突出して、水栓本体７０を支持する片持ち梁の役割を果たすものである。その中央部は、フレキシブル管を挿通させるため開口となっている。
【００２４】
突出部１１ｂ上部には、外側へ９０度折曲されたカウンタトップ９１と当接するアッパーカウンタ当接部１１ｄが設けられ、カウンタトップ９２を固定するねじが挿通可能なねじ孔１１ｊか穿設されている。
【００２５】
突出部１１ｂから９０度折曲され、水栓本体７０の裏面に当接する水栓本体当接部１１ｃには、水栓本体７０の給水接続口７６及び給湯接続口７７を挿通可能とする開口１１ｈ，１１ｈ並びにシャワー接続口７８を挿通可能とする欠切部１１ｉが設けられる。また、水栓本体当接部１１ｃ両端下端近傍には、水栓本体７０のアッパーカウンタ９への固着を確実ならしめる固定ボルト１２を螺挿させるボルト孔１１ｇが穿設される。この水栓本体当接部１１ｃは、左右の突出部１１ｂ，１１ｂを接続する役目も果たしている。
【００２６】
アッパーカウンタ支持材２０も、金属製の板材を折曲して形成されたものであり、突出部２０ｂを中心に、その壁パネル側に９０度折曲された壁パネル当接部２０ａと、上側すなわちカウンタトップ９１側に９０度折曲されたカウンタトップ当接部２０ｄと、下側すなわちカウンタエプロン９２側に９０度折曲されたカウンタエプロン当接部２０ｃとから構成される。これら各部は、水栓支持材１１のそれらと同等の機能を有し、壁パネル当接部２０ａにはねじ孔２０ｅ及びばか孔２０ｆ，２０ｆが、カウンタトップ当接部２０ｄにはねじ孔２０ｊが、カウンタエプロン当接部２０ｃにはねじ孔２０ｋが穿設される。
【００２７】
本実施の形態に係る洗い場水栓７及びアッパーカウンタ９は上記のように構成されており、以下その取付手順について、図６に示すフローチャートを参照して説明する。
【００２８】
本実施の形態に係る水栓金具及びアッパーカウンタを壁パネルに取り付けるには、まず、水栓金具支持材１１及びアッパーカウンタ支持材２０の仮取り付けを行う（ステップＳ１）。これは、図５に示したように、壁パネル当接部１１ａ，２０ａのばか孔１１ｆ，２０ｆにのみドリリングねじ１３を挿通し、壁パネルにねじ止めして行う。そして、カウンタトップ９１をアッパーカウンタ支持材２０の上に仮に載置する。
【００２９】
この段階では、まだ水栓支持材１１も、アッパーカウンタ支持材２０も上下方向にスライド可能であるので、水平器等を用いてカウンタトップ９１のレベルを調整する（ステップＳ２）。レベル調整ができれば、図７に示すように、ねじ孔１１ｅ，２０ｅにドリリングねじ１３を挿通し、壁パネル６にねじ止めする。これにより、水栓支持材１１及びアッパーカウンタ支持材２０は所望の位置に本固定される（ステップＳ３）。
【００３０】
次に、シャワー支持材４０を所定の位置に固定し、これにシャワーエルボ８１を取り付ける（ステップＳ４）、続いて、水栓本体７０を水栓支持材１１に仮固定する（ステップＳ５）。それには、まず、図８に示すように、水栓本体７０裏面の給水接続口７６、給湯接続口７７、及びシャワー接続口７８を、それぞれ水栓支持材１１の開口１１ｈ，１１ｈ及び欠切部１１ｉに挿通する。
【００３１】
そして、図９に示すように、給水エルボ６０、給湯エルボ６１、水栓側シャワーエルボ６２を、それぞれ給水接続口７６、給湯接続口７７、及びシャワー接続口７８に螺刻された雄ねじの終端に至るまで螺進させる。これにより、各エルボ内のパッキンが潰れて完全に止水される。しかしこの時点では、水栓本体７０裏面と水栓支持材１１の水栓本体当接部１１ｃとは未だ固着しておらず、水栓本体７０は、図１０に示すように、正面がやや下方に垂れ下がった状態に留まり、がたつきもある。なぜなら、ここで完全に固着するように設定すると、各エルボを給水接続口７６、給湯接続口７７、及びシャワー接続口７８に螺進させていって停止したとき、それが、各エルボが雄ねじの終端に至ったことによるのか、或いは、水栓本体７０が水栓支持材１１に固着したことによるのか判断できず、止水が完全か否かを確認できなくなるからである。
【００３２】
これに続いて、水栓本体７０の本固定を行う（ステップＳ６）。これは、水栓支持材１１の水栓本体当接部１１ｃ両端部下端近傍のボルト孔７０ｇに螺着された固定ボルト１２を螺進させることにより行う。これにより、水栓本体７０の下部は、図１０に示したように、螺進する固定ボルト１２に押し出されるので、水栓本体７０の正面は徐々に上方へと持ち上げられて、垂れ下がりが解除されるとともに、水栓支持材１１に固着される。
【００３３】
このように、従来の取付構造では、口径の大きい締付リング及びこれに螺合する雄ねじ部により行われていた水栓金具の水栓カウンタへの固着が、本発明に係る取付構造によれば、極小さな固定ボルト１２及びこれに螺合するボルト孔１１ｇにより行われるので、固定ボルト１２のボルトヘッドが給水エルボ６０等よりも壁パネル６側へ突出することはなく、水栓カウンタの奥行きを小さくすることが可能となる。
【００３４】
また、本発明に係る取付構造では、給水接続口７６等と給水エルボ６０等との接続と、水栓本体７０の水栓支持材１１への固着とが、別々の機構により別途独立に行われるので、接続口周りの止水の完成と水栓本体７０の固着の完了とを混同することなく、それぞれを確実にすることができる。
【００３５】
このように、水栓本体７０が水栓支持材１１に固着されれば、続いて、アッパーカウンタ９内部の配管類の接続を行う（ステップＳ７）。これは、給水止水栓５２と給水エルボ６０、給湯止水栓５３と給湯エルボ６１、水栓側シャワーエルボ６２とシャワーエルボ８１とを、それぞれフレキシブル管を用いて接続する。
【００３６】
こうして、支持材及び内部の処理が完了すると、カウンタトップ９１及びカウンタエプロン９２の取り付けを行う（ステップＳ８）。これは、座金を伴ったねじをねじ孔２０ｊ及び２０ｋに挿通させて、カウンタトップ及びカウンタエプロンをねじ止めして行われる。
【００３７】
以上に説明した実施態様は説明のためのものであり、本発明の範囲を制限するものではない。従って、当業者であればこれらの各要素もしくは全要素をこれと均等なものによって置換した実施態様を採用することが可能であるが、これらの実施態様も本発明の範囲に含まれる。
【００３８】
例えば、水栓本体の形状は本実施形態のものに限られず、シャワーが接続されていなくてもよい。また、水栓カウンタの高さは、浴槽の高さと略同一である必要はなく、ロアーカウンタを持たないシステムバスにおいても採用することができる。
【図面の簡単な説明】
【００３９】
【図１】本発明に係る水栓金具取付構造を備えるシステムバスの概要を示す斜視図。
【図２】本発明に係る水栓金具及びカウンタの支持材を示す正面図。
【図３】本発明に係る水栓金具及び支持材の平面図。
【図４】本発明に係る水栓金具を備える水栓カウンタの縦断面図。
【図５】支持材の仮取付を示す図。
【図６】本発明に係る水栓金具の取付手順を示すフローチャート。
【図７】支持材本固定を示す図。
【図８】水栓本体の水栓支持材への取り付けを示す図。
【図９】水栓本体の仮固定状態を示す見上げ図。
【図１０】水栓本体の本固定を示す側面図。
【図１１】従来の水栓金具取付構造の一例を示す図。
【符号の説明】
【００４０】
１  システムバス
２  洗い場
３  浴槽
４  バスエプロン
５  バス水栓
６  壁パネル
７  洗い場水栓
８  シャワー
９  アッパーカウンタ
１０  ロアーカウンタ
１１  水栓支持材
１１ａ  壁パネル当接部
１１ｂ  突出部
１１ｃ  水栓本体当接部
１１ｄ  アッパーカウンタ当接部
１１ｅ，１１ｊ  ねじ孔
１１ｆ  ばか孔
１１ｇ  ボルト孔
１１ｈ  開口
１１ｉ  欠切部
１２  固定ボルト
１３  ドリリングねじ
２０  アッパーカウンタ支持材
２０ａ  壁パネル当接部
２０ｂ  突出部
２０ｃ  カウンタエプロロン当接部
２０ｄ  カウンタ天板タ当接部
２０ｅ，２０ｊ
２０ｋ  ねじ孔
２０ｆ  ばか孔
３０  ロアーカウンタ支持材
４０  シャワー支持材
５０  屋内給水管
５１  屋内給湯管
５２  給水止水栓
５３  給湯止水栓
６０  給水エルボ
６１  給湯エルボ
６２  水栓側シャワーエルボ
７０  水栓本体
７０ａ  本体
７０ｂ  接続部
７１  カラン
７２  水量調節ハンドル
７３  温度調節ハンドル
７４  カランボタン
７５  シャワーボタン
７６  給水接続口
７７  給湯接続口
７８  シャワー接続口
８１  シャワーエルボ
８２  シャワーホース
８３  シャワーヘッド
９１  カウンタトップ
９２  カウンタエプロン
【図１】
2006097265.tif 000003
【図２】
2006097265.tif 000004
【図３】
2006097265.tif 000005
【図４】
2006097265.tif 000006
【図５】
2006097265.tif 000007
【図６】
2006097265.tif 000008
【図７】
2006097265.tif 000009
【図８】
2006097265.tif 000010
【図９】
2006097265.tif 000011
【図１０】
2006097265.tif 000012
【図１１】
2006097265.tif 000013